(57)【要約】【課題】スライドショーが表示されているときに、このスライドショーの１シーンをユーザが所望のタイミングで切り出してデジタル画像として保存することができるデジタル画像記録装置を提供する。【解決手段】取得した画像データをデジタル化しデジタル画像として記録するデジタル画像記録装置１０に、撮影・記録されたデジタル画像を選択してスライドショーとして再生実行するスライドショー生成器１０６と、スライドショーの１シーンをデジタル画像として保存記録するＪＰＥＧ生成器１０８とを設ける。【選択図】図１
2009027213.tif 000002
【特許請求の範囲】
【請求項１】
取得した画像データをデジタル化しデジタル画像として記録するデジタル画像記録装置であって、
前記デジタル画像を選択してスライドショーとして再生実行する再生表示機能と、
前記スライドショーの１シーンをデジタル画像として保存記録する切り出し機能と
を有するデジタル画像記録装置。
【請求項２】
前記切り出し機能が、前記スライドショーの連続したシーンを複数のデジタル画像として保存記録するように構成された請求項１に記載のデジタル画像記録装置。
【請求項３】
前記スライドショーのシーンを切り出すタイミングを前記切り出し機能に指令する指令機能を有する請求項１または２に記載のデジタル画像記録装置。
【請求項４】
リモコンからの操作信号を受信し、当該操作信号を受信したときに前記切り出し機能に前記スライドショーのシーンを切り出すタイミングを指令する遠隔操作機能を有する請求項１〜３いずれか一項に記載のデジタル画像記録装置。
【請求項５】
前記切り出し機能が、切り出した前記シーンをＪＰＥＧ形式でエンコードしたファイルとして保存記録するように構成された請求項１〜４いずれか一項に記載のデジタル画像記録装置。
【発明の詳細な説明】
【技術分野】
【０００１】
本発明は、デジタル画像記録装置に関する。
【背景技術】
【０００２】
従来、デジタルカメラ等のデジタル画像記録装置は、保存してあるデジタル画像をビデオ出力し、それをテレビモニタ等の表示再生装置で表示するという使い方がされおり、それらは一般的に「スライドショー」と呼ばれる形態で実現されている。このスライドショーは、単に記憶されているデジタル画像を表示するだけでなく、デザイン性のある表示方法や、ユーザが自由に背景や装飾を施して表示できるものも多く存在する。また、このようなスライドショーは、一度表示がスタートすると、ユーザによる停止操作を実行しない限りは、自動的に終了シーンまで表示が実行されるように構成されている（例えば、特許文献１参照）。
【特許文献１】特許第３１６９８８８号公報
【発明の開示】
【発明が解決しようとする課題】
【０００３】
しかしながら、デジタル画像記録装置から表示再生装置に出力される「デザイン性のあるスライドショー」の表示中に、気に入ったシーンを残しておきたいと思うことがあるが、このようなデジタル画像記録装置には、表示されているスライドショーをデジタル画像として保存する機能が無いという課題があり、また、このようなスライドショーは、動画のように表示内容が時間と共に変化するため、特定の瞬間だけを狙って保存することが難しいという課題があった。
【０００４】
本発明はこのような課題に鑑みてなされたものであり、スライドショーが表示されているときに、このスライドショーの１シーンをユーザが所望のタイミングで切り出してデジタル画像として保存することができるデジタル画像記録装置を提供することを目的とする。
【課題を解決するための手段】
【０００５】
前記課題を解決するために、本発明に係るデジタル画像記録装置は、取得した画像データをデジタル化しデジタル画像として記録するものであって、撮影・記録されたデジタル画像を選択してスライドショーとして再生実行する再生表示機能（例えば、実施形態におけるスライドショー生成器１０６）と、スライドショーの１シーンをデジタル画像として保存記録する切り出し機能（例えば、実施形態におけるＪＰＥＧ生成器１０８）とを有する。
【０００６】
このような本発明に係るデジタル画像記録装置において、切り出し機能が、スライドショーの連続したシーンを複数のデジタル画像として保存記録するように構成されることが好ましい。
【０００７】
また、このような本発明に係るデジタル画像記録装置は、スライドショーのシーンを切り出すタイミングを切り出し機能に指令する指令機能（例えば、実施形態におけるレリーズボタン１１）を有することが好ましい。
【０００８】
また、このような本発明に係るデジタル画像記録装置は、リモコンからの操作信号を受信し、当該操作信号を受信したときに切り出し機能にスライドショーのシーンを切り出すタイミングを指令する遠隔操作機能（例えば、実施形態におけるリモコンＩ／Ｆ１５）を有することが好ましい。
【０００９】
さらに、このような本発明に係るデジタル画像記録装置において、切り出し機能が、切り出したシーンをＪＰＥＧ形式でエンコードしたファイルとして保存記録するように構成されることが好ましい。
【発明の効果】
【００１０】
本発明に係るデジタル画像記録装置を以上のように構成すると、記録保存されているデジタル画像をスライドショー機能により表示しているときに、ボタン等の操作により所望の１以上のシーンを、例えばＪＰＥＧ形式の画像ファイルとして切り出して記録保存することができる。
【発明を実施するための最良の形態】
【００１１】
以下、本発明の好ましい実施形態について図面を参照して説明する。まず、図１を用いてデジタル画像記録装置の使用方法について説明する。このデジタル画像記録装置１０は、表示再生装置であるディスプレイ２０とビデオ出力線３０を介して接続されている。このデジタル画像記録装置１０は、記録されているデジタル画像を、予め決められたレイアウトや順序により、若しくは、ランダムにディスプレイ２０に出力して表示するスライドショー機能が設けられており、このスライドショーのシーン４０がディスプレイ２０に表示される。なお、スライドショーのシーン４０には、画像だけでなく装飾５０を表示することも可能である。また、このデジタル画像記録装置１０は、リモコン６０により、このスライドショーの表示開始・終了等を遠隔で操作できるように構成することも可能である。
【００１２】
このデジタル画像記録装置１０の背面には、図２に示すように、スライドショーの実行を制御するための再生ボタン１３及びメニューボタン１２が設けられており、これらのボタンを操作することでスライドショーを実行することができる。また、リモコンＩ／Ｆ（リモコン受信部）１５は、リモコン６０からの赤外線信号を受信するものであり、上述のようにリモコン６０による遠隔操作でもスライドショーの実行を制御することができる。また、このデジタル画像記録装置１０においては、スライドショーの実行中に、レリーズボタン（キャプチャボタン）１１、ファンクションボタン１４、メニューボタン１２若しくはリモコン６０のボタン等の操作によって、スライドショーの所望のシーンをデジタル画像として記録することができるように構成されている。
【００１３】
それではこのようなデジタル画像記録装置１０の機能構成について図３に示すブロック図を用いて説明する。このデジタル画像記録装置１０は、中央演算処理装置（以下「ＣＰＵ」と称する）１０１、メモリ制御器１０２、ダイナミックランダムアクセスメモリ（以下「ＤＲＡＭ」と称する）１０３、メモリカード１０４、シーンバッファメモリ１０５、スライドショー生成器１０６、ビデオ出力部１０７及びＪＰＥＧ生成器１０８を有し、また、上述のレリーズボタン１１、メニューボタン１２、再生ボタン１３、ファンクションボタン１４及びリモコンＩ／Ｆ１５を有している。なお、この図３には図示していないが、このデジタル画像記録装置１０は、光学系と撮像素子とを有しており、光学系により撮像素子の撮像面に結像された像を検出してデジタル画像とし、このデジタル画像をＤＲＡＭ１０３若しくはメモリカード１０４に保存記録するように構成されている。
【００１４】
ＣＰＵ１０１は、スライドショー生成器１０６、メモリ制御器１０２、ＪＰＥＧ生成器１０８及びリモコンＩ／Ｆ１５を制御する。また、このＣＰＵ１０１はレリーズボタン１１、メニューボタン１２、再生ボタン１３及びファクションボタン１４からの割り込みにより処理を実施することができる。なお、リモコンＩ／Ｆ１５は、リモコン６０と赤外線通信するための機器であり、リモコン６０の操作による割り込みをＣＰＵ１０１に対して行い処理を実施する。
【００１５】
スライドショー生成器１０６は、ＤＲＡＭ１０３やメモリカード１０４にあるデジタル画像をメモリ制御器１０２を介して読み出し、スライドショーのシーンを生成してビデオ出力部１０７に出力する。出力された画像はビデオ出力線３０を介してディスプレイ２０に表示される。このとき、スライドショー生成器１０６は、ビデオ出力部１０７に出力した同じシーンのデジタルデータをメモリ制御器１０２を介してシーンバッファメモリ１０５に書込む処理を行う。このシーンバッファメモリ１０５は、図４に示すようにリング形式の構造となっており、書込みポインタ４０１が指す位置にデータを書込み、書込み終了後は、そのポインタ位置を１つ進める。ただし、書込みポインタ４０１が終端まで進んだ場合は、先頭に戻すようになっている。よって、スライドショー生成器１０６によるシーンの書込みは、シーンバッファメモリ１０５の書込みポインタ４０１の位置に行い、書込み終了後には、書込みポインタ４０１を１つ進める。なお、リング形式の構造により、一定時間のシーンのデータをこのシーンバッファメモリ１０５に貯めておくことができる。
【００１６】
スライドショー機能において表示されている、あるシーンの保存記録は、ユーザからのレリーズボタン１１やファンクションボタン１４若しくはリモコン６０のボタン等の操作をトリガーとして開始する。それでは、図５を用いて、上述のスライドショーの１画面をＪＰＥＧ画像として保存するための処理フローを説明する。まず、スライドショーを開始すると（ステップＳ５０１）、スライドショーの再生が行われる（ステップＳ５０２）。このスライドショーの再生中に、レリーズボタン１１やファンクションボタン１４等が押下されると、ＣＰＵ１０１はこのボタンの押下をトリガーとしてキャプチャ操作を検出し（ステップＳ５０３）、そのタイミングのシーンバッファメモリ１０５の書込みポインタ４０１より１つ前の値をキャプチャ開始ポインタ４０２として設定する（ステップＳ５０４）。そして、ＣＰＵ１０１はＪＰＥＧ生成器１０８を制御し、このＪＰＥＧ生成器１０８は、シーンバッファメモリ１０５のキャプチャ開始ポンインタ４０２の位置にある１シーンのデジタルデータを、メモリ制御器１０２を介して読み出し（ステップＳ５０５）、そのデータに対してＪＰＥＧエンコード処理を行い（ステップＳ５０６）、このエンコード結果をメモリカード１０４にＪＰＥＧ画像ファイルとして保存する（ステップＳ５０７）。これにより、スライドショーの１シーンをＪＰＥＧファイルとして保存記録することができる。そして、ボタンを押下し続けるなどキャプチャ操作が継続されているかを判断し（ステップＳ５０８）、継続されている場合はキャプチャ開始ポインタ４０２を進め（ステップＳ５０９）、キャプチャ操作の継続が中断されるまで（ボタンアップされるまで）、１シーンをキャプチャ開始ポインタから読出す工程（ステップＳ５０５）からＪＰＥＧファイルを作成する工程（ステップＳ５０７）までを繰り返す。これにより、連続する複数シーンが１枚ずつの複数のＪＰＥＧファイル（画像ファイル）として保存記録される。さらに、このフローは、すべてのシーンが終了する、または、スライドショーの停止操作が行われるまで繰り返される（ステップＳ５１０）。
【００１７】
このように、本実施例に係るデジタル画像記録装置１０によると、ＤＲＡＭ１０３やメモリカード１０４に記録保存してあるデジタル画像をスライドショー機能によりディスプレイ２０に表示しているときに、ボタン等の操作により所望の１以上のシーンを、例えばＪＰＥＧ形式の画像ファイルとして切り出して記録保存することができる。なお、この実施例においてはＪＰＥＧ形式の画像ファイルとして記録保存する場合について説明したが、本発明がこの画像形式に限定されることはなく、その他適当な画像形式で保存するように構成しても同様の効果を得ることができる。
【図面の簡単な説明】
【００１８】
【図１】本発明に係るデジタル画像記録装置の使用方法を示す説明図である。
【図２】上記デジタル画像記録装置の背面図である。
【図３】上記デジタル画像記録装置の構成を示すブロック図である。
【図４】シーンバッファメモリの構成を示す説明図である。
【図５】スライドショーの１シーンを保存記録する処理を説明するフローチャートである。
【符号の説明】
【００１９】
１０  デジタル画像記録装置    １１  レリーズボタン（指令手段）
１５  リモコンＩ／Ｆ（遠隔操作機能）
１０６  スライドショー生成器（再生表示機能）
１０８  ＪＰＥＧ生成器（切り出し機能）
【図１】
2009027213.tif 000003
【図２】
2009027213.tif 000004
【図３】
2009027213.tif 000005
【図４】
2009027213.tif 000006
【図５】
2009027213.tif 000007